(57)【要約】【課題】油性インクを用いて外装面に印刷する際の操業性にすぐれ、外装面の印刷の見栄えの良好な吸収性物品の製造装置及び製造方法を提供する。【解決手段】人体との接触面側に設けられるトップシートと、人体との接触面と反対側に設けられるバックシートと、を備え、バックシートに外側から視認可能な模様が施された紙おむつの製造装置２において、油性インクを用いるインクジェットプリンタ３００と、所定温度以下の冷却用のスプレー液を噴射する冷却手段５００と、を備え、インクジェットプリンタ３００によりバックシートの外面側からインクを吐出することで模様をバックシート上に形成した後、冷却手段５００により模様の形成された領域を冷却する。【選択図】図７
2011206330.tif 000002
【特許請求の範囲】
【請求項１】
人体との接触面側に設けられるトップシートと、人体との接触面と反対側に設けられるバックシートと、を備え、前記バックシートに外側から視認可能な模様が施された吸収性物品の製造装置において、
油性インクを用いるインクジェットプリンタと、
所定温度以下の冷却用のスプレー液を噴射する冷却手段と、を備え、
前記インクジェットプリンタにより前記バックシートの外面側から前記インクを吐出することで前記模様を前記バックシート上に形成した後、前記冷却手段により前記模様の形成された領域を冷却することを特徴とする吸収性物品の製造装置。
【請求項２】
前記バックシートは、
遮水性を有する防水シートと、
前記吸収性物品の最外面を成し、インクが透過可能な素材密度の不織布からなる外装シートと、を備え、
前記インクジェットプリンタは、前記外装シートの外面側から、当該外装シートを透過して前記防水シート上に付着するよう前記インクを吐出することで、前記模様を前記防水シート上に形成することを特徴とする請求項１に記載の吸収性物品の製造装置。
【請求項３】
請求項１に記載の吸収性物品の製造装置による吸収性物品の製造方法において、
吸収性物品としての機能を備えた構造体が完成した後、当該吸収性物品の前記模様を形成する任意の領域を、油性インクを用いるインクジェットプリンタのインク吐出面と対向する位置に固定する固定工程と、
前記固定工程により固定された前記任意の領域に対して、前記インクジェットプリンタの前記インク吐出面から前記インクを吐出して前記模様を前記バックシートに形成する模様形成工程と、
前記模様形成工程により形成された前記バックシート上の前記模様に対して、所定温度以下の冷却用のスプレー液を噴射する冷却手段によりスプレー液を吹きかけて、前記模様の形成された領域を冷却する冷却工程と、
を有することを特徴とする吸収性物品の製造方法。
【請求項４】
前記バックシートは、
遮水性を有する防水シートと、
前記吸収性物品の最外面を成し、インクが透過可能な素材密度の不織布からなる外装シートと、を備え、
前記模様形成工程は、前記外装シートの外面側から、当該外装シートを透過して前記防水シート上に付着するようインクを吐出することで、前記模様を前記防水シート上に形成することを特徴とする請求項３に記載の吸収性物品の製造方法。
【発明の詳細な説明】
【技術分野】
【０００１】
本発明は、吸収性物品の製造装置及び製造方法に関する。
【背景技術】
【０００２】
従来、使い捨て紙おむつ（以下、紙おむつという）などの吸収性物品において、外面側から視認可能な模様の印刷が施されたものが知られている。模様は、例えば、可愛らしさを表現したり、用途やサイズの判別を容易にする機能を有する。
また、紙おむつにこのような模様を印刷するのに、インクジェットプリンタを利用する方法が提案されている（例えば、特許文献１〜４参照。）。
【０００３】
こうしたインクジェットプリンタに用いられるインクとして、オイルベースの油性インクが知られている。この油性インクを利用したインクジェット方式では、ドット数が多いため、例えば筆記体のような複雑な形状の文字でもきれいに滑らかに印刷することが可能である。
【先行技術文献】
【特許文献】
【０００４】
【特許文献１】特開２００６−１０３０６８号公報
【特許文献２】特開２０００−２６６号公報
【特許文献３】特表２００７−５３００９２号公報
【特許文献４】特表２００６−５２５８９４号公報
【発明の概要】
【発明が解決しようとする課題】
【０００５】
しかしながら、通常、油性インクを使用したインクジェット方式は、紙などの吸収性のあるものを対象として印刷が行われる。
そのため、不織布や防水シートなどからなる紙おむつのバックシートに印刷を行おうとすると、不織布や防水シートは紙のような高い吸収性を有していないのでインクの乾燥性が悪く、擦れなどに因り模様が滲みやすいため、操業性や見栄えなどが低下するという問題があった。
【０００６】
本発明の課題は、油性インクを用いて外装面に印刷する際の操業性にすぐれ、外装面の印刷の見栄えの良好な吸収性物品の製造装置及び製造方法を提供することである。
【課題を解決するための手段】
【０００７】
上記課題を解決するために、請求項１に記載の発明は、
人体との接触面側に設けられるトップシートと、人体との接触面と反対側に設けられるバックシートと、を備え、前記バックシートに外側から視認可能な模様が施された吸収性物品の製造装置において、
油性インクを用いるインクジェットプリンタと、
所定温度以下の冷却用のスプレー液を噴射する冷却手段と、を備え、
前記インクジェットプリンタにより前記バックシートの外面側から前記インクを吐出することで前記模様を前記バックシート上に形成した後、前記冷却手段により前記模様の形成された領域を冷却することを特徴とする。
【０００８】
また、請求項２に記載の発明は、請求項１に記載の吸収性物品の製造装置において、
前記バックシートは、
遮水性を有する防水シートと、
前記吸収性物品の最外面を成し、インクが透過可能な素材密度の不織布からなる外装シートと、を備え、
前記インクジェットプリンタは、前記外装シートの外面側から、当該外装シートを透過して前記防水シート上に付着するよう前記インクを吐出することで、前記模様を前記防水シート上に形成することを特徴とする。
【０００９】
また、請求項３に記載の発明は、
請求項１に記載の吸収性物品の製造装置による吸収性物品の製造方法において、
吸収性物品としての機能を備えた構造体が完成した後、当該吸収性物品の前記模様を形成する任意の領域を、油性インクを用いるインクジェットプリンタのインク吐出面と対向する位置に固定する固定工程と、
前記固定工程により固定された前記任意の領域に対して、前記インクジェットプリンタの前記インク吐出面から前記インクを吐出して前記模様を前記バックシートに形成する模様形成工程と、
前記模様形成工程により形成された前記バックシート上の前記模様に対して、所定温度以下の冷却用のスプレー液を噴射する冷却手段によりスプレー液を吹きかけて、前記模様の形成された領域を冷却する冷却工程と、
を有することを特徴とする。
【００１０】
また、請求項４に記載の発明は、請求項３に記載の吸収性物品の製造方法において、
前記バックシートは、
遮水性を有する防水シートと、
前記吸収性物品の最外面を成し、インクが透過可能な素材密度の不織布からなる外装シートと、を備え、
前記模様形成工程は、前記外装シートの外面側から、当該外装シートを透過して前記防水シート上に付着するようインクを吐出することで、前記模様を前記防水シート上に形成することを特徴とする。
【発明の効果】
【００１１】
本発明によれば、油性インクを用いるインクジェットプリンタにより、バックシートの外面側からインクを吐出することで模様をバックシート上に形成した後、冷却手段により模様の形成された領域を冷却するようになっている。
このため、冷却によりバックシートへのインクの定着が良くなるので、吸収性の乏しい素材からなるバックシートに模様を形成した場合にも、擦れなどに因り模様が滲むのを防止することができ、操業性や見栄えを良好にすることができる。
また、模様は、冷却されることにより耐摩耗性が向上し色彩が明るくなるため、見栄えをより良好にすることができる。
【図面の簡単な説明】
【００１２】
【図１】本実施形態の紙おむつの装着時の状態を示す斜視図である。
【図２】図１の紙おむつの平面展開図である
【図３】図２と裏表を逆にした平面展開図である。
【図４】図３のIV-IV線における断面図である。
【図５】図１の紙おむつの変形例を示す図である。
【図６】本実施形態の紙おむつの製造方法を示すフローチャートである。
【図７】本実施形態の紙おむつの製造方法を実施する製造装置の斜視図である。
【図８】（ａ）は、図７の製造装置の正面図であり、（ｂ）は、図７の製造装置の側面図である。
【図９】図７の製造装置の動きを説明するための図である。
【図１０】図７の製造装置に紙おむつをセットした状態を説明するための図である。
【図１１】図７の製造装置に紙おむつをセットした状態を説明するための図である。
【発明を実施するための形態】
【００１３】
以下、本発明の実施の形態を、図面を参照しながら詳細に説明する。但し、発明の範囲は図示例に限定されない。なお、本実施の形態においては、吸収性物品として使い捨て紙おむつ（以下、紙おむつという。）を例示して説明することとする。
【００１４】
［紙おむつの構成に関する説明］
先ず、図１〜４を参照して、本実施形態に係る紙おむつの製造方法によって製造される紙おむつの構成について説明する。
図１〜４に示すように、紙おむつ１は、紙おむつ本体である本体部１０と、本体部１０を人体に装着するための止着部２０、２０と、止着部２０を係止させるための被止着部３０と、を備え、止着部２０、２０を被止着部３０に止着することで装着する止着式の紙おむつである。この紙おむつ１には、例えば、装着者（乳幼児等）の名前などが模様Ｄとして、外側から視認可能に印刷されている。
【００１５】
紙おむつ１は、装着時に人体の股部を腹側から背側にかけて覆うように形成されている。
具体的には、本体部１０の一方の端部が人体の腹側に位置する腹側部１１を形成し、他方の端部が人体の背側に位置する背側部１２を形成し、腹側部１１と背側部１２との間が人体の股下に位置する股下部１３を形成する。
また、腹側部１１において股下部１３よりも両外側に延出した腹側延出部１１ａ、１１ａと、背側部１２において股下部１３よりも両外側に延出した背側延出部１２ａ、１２ａとは、紙おむつ１が装着された際に胴周り部１４を形成する。
なお、この際、背側部１２の胴周り方向に沿った縁部中央に、糸ゴム等の弾性部材を当該縁部に沿って設けることで平面ギャザーを形成して、本体部１０を、着用者の胴周りにフィットするように伸縮自在な構成としても良い。
また、股下部１３の両縁部は、腹側部１１から背側部１２に亘って、装着時に人体の脚周りを囲む脚周り部１５、１５を形成する。この脚周り部１５、１５には、その湾曲形状に合わせて糸ゴム等の弾性部材１５ａがそれぞれ設けられ、この弾性部材１５ａにより平面ギャザーが形成され、着用者の脚周りに伸縮自在にフィットし、横漏れを防止するようになっている。
なお、弾性部材１５ａを、脚周り部１５、１５の湾曲形状に合わせず、直線状に配置して平面ギャザーを形成することとしても良い。
【００１６】
本体部１０は、人体との接触面側に設けられる透液性の不織布からなるトップシート１０ａと、装着時に人体との接触面と反対側の外部側に設けられる不透液性のバックシート１０ｂと、トップシート１０ａとバックシート１０ｂとの間に介装される吸収体１０ｃと、トップシート１０ａ側の吸収体１０ｃの両側部に、本体部１０の長手方向に沿って備えられるギャザーシート１０ｄ、１０ｄと、により主に構成される。
【００１７】
トップシート１０ａは、紙おむつ１を装着した際に人体に接する面に設けられ、体液を受けて、吸収体１０ｃまで輸送する役割を果たす透液性のシートである。
トップシート１０ａは、不織布が好適に用いられ、具体的には、例えば、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用い得る。
【００１８】
バックシート１０ｂは、紙おむつ１を装着した際に人体に接する面と反対側の面に設けられ、外面側からインクが吹きかけられることによって、外面側から視認可能な模様Ｄが印刷されている。
バックシート１０ｂは、体液などの紙おむつ１外部への染み出しや漏れ出しを防ぐ役割を果たす防水シート１６に、紙おむつ１の外面の風合いを良くするための外装シート１７を貼り合わせて形成されている。
【００１９】
防水シート１６は、例えば、ポリエチレンやポリプロピレン等の少なくとも遮水性を有するシート材であって、ムレ防止の観点から透湿性を有するシート材が好適に用いられる。
【００２０】
外装シート１７は、平滑性と柔軟性に優れた素材を用いることが好ましい。また、外面からインクが吹きかけられた場合に、インクが透過可能な素材密度の不織布を用いることが好ましい。
具体的に、外装シート１７として、例えば、エアスルー不織布で、目付け１０〜４０ｇ／ｍ2、繊度１．０〜３．０ｄｅｔｅｘのものを用いた場合、外装シート１７に好適な柔軟性とインク透過性を付与することができるため好ましい。
そして、バックシート１０ｂの外面側から、模様Ｄを印刷するためのインクが拭きかけられた場合、インクは、素材密度の粗い外装シート１７を透過して防水シート１６上に付着し、防水シート１６上に模様Ｄが印刷されることとなる。
このように、最外面を成す外装シート１７ではなく防水シート１６に模様Ｄを印刷することにより、模様Ｄが擦れて見栄えが低下するのを防止することができる。
【００２１】
ここで、印刷される模様Ｄについて説明する。
模様Ｄは、バックシート１０ｂの外面の任意の領域（模様形成領域）に、後述する製造装置２により、油性インクを用いて印刷されるものである。
油性インクとは、主に石油などのオイルをベースとして作られたインクであり、主な成分としては、エステル、芳香族炭化水素などを挙げることができる。
模様Ｄは、このような油性インクを使用したインクジェット方式にて印刷されるものであるため、ドット数が多く、例えば模様Ｄが筆記体のような複雑な形状の文字であっても滑らかに印刷することが可能となっている。
また、模様Ｄは、バックシート１０ｂに付着した直後に後述の冷却手段５００によって冷却されることでバックシート１０ｂに好適に定着し、耐摩擦性が向上すると共に色合いが明るくなって、見栄えが良好になっている。
【００２２】
また、模様Ｄは、例えば、所有者の名前などのような所有者を認識できる機能を有するデザインとなっている。図１、２は、模様Ｄとして「Ｔａｒｏ」の文字を印刷した例である。
模様Ｄに用いる文字は、日本語（平仮名、片仮名など）、英語（アルファベットなど）の他、何れの言語の文字であっても良い。
また、模様Ｄは、文字、図柄、絵柄、記号、イラストのうちの１つ又は複数を組み合わせたものであっても良い。また、名前の後に「ちゃん」「さん」等の敬称を加えることとしても良い。
また、図５に示すように、印刷される模様Ｄの数や大きさに特に限定はない。図５は、模様Ｄとして「たろう」の文字を２組印刷した例である。
また、模様Ｄの色彩に特に限定はなく、モノクロ印刷でも、カラー印刷でも良い。
更に、模様Ｄが印刷される箇所（模様形成領域）も、作製者が任意に決定することができる。
【００２３】
また、バックシート１０ｂは、股下部１３を形成する位置に尿と接触して変色するインジケータ１８を備えている。インジケータ１８は、バックシート１０ｂの長手方向中央付近において、長手方向に沿う方向に延在するよう配されている。インジケータ１８は、例えば、所定のｐＨ値の液体（尿）に反応して変色する指示薬などからなり、紙おむつ１が尿を受けて湿った場合に、その尿の量に応じて徐々に変色する。このため、紙おむつ１の交換時期を容易に認識することができるようになっている。
【００２４】
吸収体１０ｃは、例えば、綿やパルプ等の吸収性素材や、繊維或いはフィルム等のシート状基材と高吸収性ポリマーのような高吸水性樹脂とが組み合わされて形成された吸収体コアＳ１が、透液性のクレープ紙、不織布、孔開きシート等のシート材Ｓ２により覆われて構成されている。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
吸収体１０ｃは、単層構造であっても良いし、複数層に分かれた構造でも構わない。吸収体１０ｃは、人体の腹側部１１から両脚の間の股下部１３を通り背側部１２に亘る位置に装着されている。
【００２５】
ギャザーシート１０ｄ、１０ｄは、トップシート１０ａ側において、吸収体１０ｃの長手方向に沿った両側部に、腹側部１１から背側部１２に亘ってそれぞれ備えられている。
このギャザーシート１０ｄ、１０ｄの幅方向外側の部分は、吸収体１０ｃの側方でトップシート１０ａの上面に固着されている。また、このギャザーシート１０ｄ、１０ｄの幅方向内側の部分は、トップシート１０ａに固定されておらず、その長手方向に沿って複数の糸ゴム等の弾性部材１５ｂ…が略平行に備えられており、断面略く字状及び逆く字状に立ち上がって着用者の体型に合わせて伸縮自在に変形可能な立体ギャザーが形成されている。
【００２６】
左右一対の止着部２０、２０は、背側部１２の背側延出部１２ａ、１２ａの左右側方において、それぞれ外側に向かって突出し、装着時には、腹側部１１のバックシート１０ｂ側に設けられた被止着部３０に止着可能となっている。
具体的に、止着部２０、２０の基端部は、トップシート１０ａ及びバックシート１０ｂにより狭持されて固着されている。なお、止着部２０、２０の基端部は、トップシート１０ａやバックシート１０ｂの内面または外面に貼り付けて固定しても良い。
また、止着部２０、２０の自由端部は、凸状に突出した形状となっており、当該自由端部の内面側には、面ファスナのオス材の係止要素であるファスニングテープ２１が備えられている。
このため、左右一対の止着部２０、２０の自由端部は、それぞれのファスニングテープ２１により、被止着部３０に止着できるようになっている。そして、止着部２０、２０の止着位置を調節することによって、腹周り及び胴周りの締め付け調節を行なうようになっている。
【００２７】
止着部２０、２０は、トップシート１０ａと同様の不織布シートやプラスチックシート、プラスチックシートの両面に不織布を積層した不織布積層シートの他、既知の止着テープに用いられているシート材を用いて形成することができる。
具体的に、不織布シートとしては、例えば、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものが挙げられる。また、プラスチックシートとしては、ポリプロピレン、ポリエチレン等の樹脂製シートが挙げられる。
【００２８】
被止着部３０は、腹側部１１における外面であるバックシート１０ｂ側に備えられる。
被止着部３０は、止着部２０、２０のファスニングテープ２１を係止するためのメス材の係止要素である係止層３１を備えて構成される。
係止層３１は、係止用不織布により構成されている。係止用不織布とは、例えば、ポリエチレン、ポリプロピレン、ポリエチレンテレフタレート、ナイロンなど、広く知られた汎用性の高い可塑性素材からなる単組成の素材若しくは複合組成の素材を用いることができる。なお、係止層３１は、長繊維で構成されるスパンボンド不織布を用いるのが好ましい。これは、短繊維であるポイントボンド不織布やエアスルー不織布では繊維の長さが短いため抜けやすく、強度が不足するからであって、連続長繊維で構成され、カット面からのほつれが少なく、毛羽立ちによる繊維の脱落が少ないスパンボンド不織布が力学的性能や生産性といった点で優れるからである。
【００２９】
［紙おむつの製造方法等に関する説明］
次に、図６〜１１を参照して、前述の紙おむつ１の製造方法及びこれに用いられる製造装置について説明する。
なお、この製造方法を実行する前提として、所定の繰出し位置から連続的に繰出して搬送される帯状の第１基材シートと第２基材シートと（何れも図示省略）を、所定の貼り合せ位置で貼り合せて連続する帯状の積層体（図示省略）を形成した後、所定の切断位置にてこの連続する積層体を一定間隔で切断する工程を経て、紙おむつ１としての機能を備えた構造体が完成していることとする。
ここで、「紙おむつ１としての機能を備えた構造体が完成している」とは、具体的には、その状態で使用しても紙おむつとしての機能を十分に発揮できる状態をいい、例えば、模様形成工程以外の製造工程が終了している状態をいう。
【００３０】
この製造方法は、図６に示すように、固定工程（Ｓ１）と、模様形成工程（Ｓ２）と、冷却工程（Ｓ３）と、を有しており、紙おむつ１としての機能を備えた構造体が完成した後、紙おむつ１それぞれの任意の領域（模様形成領域）を固定し、ここに所望の模様Ｄを施し、その後、冷却手段５００により模様Ｄを冷却することとなる。
【００３１】
ここで、図７〜１１を参照して、図６の製造方法に用いられる（模様Ｄを印刷するのに使用する）製造装置２について説明する。
なお、以下の説明では、製造装置２において、インクの吐出方向を前側、インクの吐出方向と反対側を後側とし、水平方向の一端側を左側、他端側を右側とし、前後方向及び左右方向の双方に直交する方向を上下方向とする。
【００３２】
製造装置２は、固定された紙おむつ１の模様形成領域に対して、当該模様形成領域を横断するように移動可能なプリンタヘッド３１０からインクを吐出して、当該模様形成領域に模様Ｄを形成する装置である。
製造装置２は、水平駆動部１００と、水平駆動部１００上に立設されたスタンド２００と、スタンド２００に固定保持されたインクジェットプリンタ３００と、固定板４００と、冷却手段５００と、等を備えている。
【００３３】
水平駆動部１００は、テーブルＴ上に保持された、水平方向（左右方向）に長尺な板体からなる基台１０１と、基台１０１上を左右方向に往復移動可能な移動部１０２と、を備えている。移動部１０２は、図示しない制御部の制御によって、基台１０１の両端部においては加速又は減速し、基台１０１の中央部では一定速度で移動する。
この移動部１０２には、垂直方向（上下方向）に長尺なスタンド２００が立設されている。
【００３４】
スタンド２００は、上下方向に長尺な３本の支柱２０１を備え、この支柱２０１をインクジェットプリンタ３００の連結部３３０に形成された連結孔３３１に嵌合させることで、インクジェットプリンタ３００を固定保持している。そして、図７、８に示すように、スタンド２００の前方にはプリンタヘッド３１０が配され、スタンド２００の後方にはインクサーバ３２０が配されるようになっている。
スタンド２００は、インクジェットプリンタ３００を保持した状態で、移動部１０２の往復移動に伴って左右方向に往復移動する。従って、図９に示すように、インクジェットプリンタ３００も移動部１０２の往復移動に伴って左右方向に往復移動するようになっている。
また、スタンド２００の上部には、作業者が回転操作するためのハンドル２０２が設けられており、ハンドル２０２の回転操作に伴ってスタンド２００が昇降するようになっている。これにより、スタンド２００に固定されたプリンタヘッド３１０の高さが調節できるようになっている。
【００３５】
インクジェットプリンタ３００は、ピエゾ方式のインクジェットプリンタが使用される。
また、インクジェットプリンタ３００には、上記した油性インクが用いられる。
ピエゾ方式とは、電圧を加えると変形するピエゾ素子（圧電素子）を用いた方式であって、ピエゾ素子をインクの詰まった微細管に取り付け、ピエゾ素子に電圧を加えて変形させることでインクを管外へと吐出させるという原理を用いた方式である。ピエゾ方式は、
ピエゾ素子の変形量そのものを電圧制御するため、インク噴出量や液滴サイズを精密に制御することができる。
【００３６】
このようなインクジェットプリンタ３００を用いて、紙おむつ１に対してバックシート１０ｂの外面側からインクを拭きかけた場合、インクは、素材密度の粗い外装シート１７を透過して防水シート１６上に付着し、防水シート１６上に模様Ｄが印刷されることとなる。
【００３７】
具体的に、インクジェットプリンタ３００は、プリンタヘッド３１０と、インクサーバ３２０と、プリンタヘッド３１０及びインクサーバ３２０を連結する連結部３３０と、等を備え、上述したように、連結部３３０の連結孔３３１にスタンド２００の支柱２０１を嵌合することでスタンド２００に固定され、スタンド２００と共に往復移動する。
このため、インクジェットプリンタ３００は、基台１０１の両端部においては加速又は減速し、基台１０１の中央部では一定速度で移動する。
【００３８】
プリンタヘッド３１０は、その前方の面にインクを吐出するインク吐出面３１１を備え、一定速度で移動している際にこのインク吐出面３１１から前方に向かってインクを吐出する。
このとき、プリンタヘッド３１０のインク吐出面３１１の前方には、模様形成領域を固定するための開口部４０１の形成された固定板４００が設置されている。また、インクジェットプリンタ３００が一定速度で移動する範囲に、固定板４００の開口部４０１の位置が対応するように設計されている。
従って、プリンタヘッド３１０は、開口部４０１（模様形成領域）を横断するように移動し、移動速度が一定速度の範囲において模様形成領域に対してインクを吐出する。
また、プリンタヘッド３１０は、左右方向の一走査にて、模様形成領域に所定の模様Ｄを形成する。
【００３９】
固定板４００は、その面がプリンタヘッド３１０のインク吐出面３１１に対向するように立設された透明の板体である。固定板４００には、紙おむつ１の模様形成領域をあてがうための矩形状の開口部４０１が形成されている。
作業者は、紙おむつ１に模様Ｄの印刷を行う場合、図１０、１１に示すように、紙おむつ１の模様形成領域が開口部４０１から多少突き出す程度押し当てることで、紙おむつ１の表面のシワを伸ばした状態で（表面が平滑になった状態で）固定できるようになっている。なお、このとき、作業者は紙おむつ１を上下又は左右に引っ張るようにして開口部４０１に紙おむつ１をあてがうようにしても良い。
開口部４０１は、基台１０１の中央部に対応する位置に形成されており、これにより、移動部１０２（即ちプリンタヘッド３１０）が一定速度で移動している間にインクが吐出されて模様形成領域に模様Ｄが形成されることとなり、形成される模様Ｄのプリンタヘッド３１０の振動に因るゆがみが低減されるようになっている。
【００４０】
冷却手段５００は、例えば、所定温度以下の冷却用のスプレー液を噴射し、模様Ｄがバックシート１０ｂ上に形成された場合、バックシート１０ｂの模様Ｄの形成された領域を局部的に冷却する。
具体的に、冷却手段５００は、例えば、プリンタヘッド３１０の側方に付設された箱体５０１内部にスプレー缶などを収容して成り、図示しない制御部の制御によって、模様Ｄの形成された領域に対して、スプレー缶のノズルより冷却用のスプレー液を噴射する。
冷却手段５００が噴出するスプレー液の温度は、−１５℃以下となっている。−１５℃より高温ではインクの定着が悪いためである。
具体的に、冷却手段５００が噴出するスプレー液の温度は、−１５℃〜−２０℃が好ましい。この範囲内の温度であれば、インクの定着が良好となる。また、−２０℃より低温であっても使用可能であるが、−５０℃より低温ではおむつが凍る恐れがあるため好ましくない。
なお、冷却手段５００は、所定温度のスプレー液を模様Ｄに対して吹きかけられるものであればその構成について特に制限はなく、上記した構成以外にも、例えば、模様Ｄの形成された領域に対して、作業者がスプレー缶により直にスプレー液を吹きかけることとしても良い。
【００４１】
上記のような製造装置２を用い、固定工程（Ｓ１）では、紙おむつ１としての機能を備えた構造体が完成した後、当該紙おむつ１の模様Ｄを形成する模様形成領域を、油性インクを用いるインクジェットプリンタ３００のインク吐出面３１１と対向する位置に固定する。
また、模様形成工程（Ｓ２）では、固定工程（Ｓ１）により固定された模様形成領域に対して、インクジェットプリンタ３００のインク吐出面３１１からインクを吐出して模様Ｄをバックシート１０ｂに形成する。
このとき、この模様形成工程（Ｓ２）においては、外装シート１７の外面側から、当該外装シート１７を透過して防水シート１６上に付着するようインクを吐出することで、模様Ｄを防水シート１６上に形成する。
また、冷却工程（Ｓ３）では、模様形成工程（Ｓ２）により形成されたバックシート１０ｂ上の模様Ｄに対して、所定温度以下の冷却用のスプレー液を噴射する冷却手段５００によりスプレー液を吹きかけて、模様Ｄの形成された領域を冷却する。
紙おむつ１は、こうした固定工程（Ｓ１）、模様形成工程（Ｓ２）及び、冷却工程（Ｓ３）を経て、模様Ｄが施された状態となる。
【００４２】
以上のように、本実施形態の紙おむつ１の製造装置２及び製造方法によれば、油性インクを用いるインクジェットプリンタ３００により、バックシート１０ｂの外面側からインクを吐出することで模様Dをバックシート１０ｂ上に形成した後、冷却手段５００により模様Ｄの形成された領域を冷却するようになっている。
このため、冷却によりバックシート１０ｂへのインクの定着が良くなるので、吸収性の乏しい素材からなるバックシート１０ｂに模様Ｄを形成した場合にも、擦れなどに因り模様Ｄが滲むのを防止することができ、操業性や見栄えを良好にすることができる。
また、模様Ｄは、冷却されることにより耐摩耗性が向上し色彩が明るくなるため、見栄えをより良好にすることができる。
【００４３】
また、本実施形態の紙おむつ１の製造装置２及び製造方法によれば、バックシート１０ｂは、遮水性を有する防水シート１６と、紙おむつ１の最外面を成し、インクが透過可能な素材密度の不織布からなる外装シート１７と、を備え、インクジェットプリンタ３００は、外装シート１７の外面側から、当該外装シート１７を透過して防水シート１６上に付着するようインクを吐出することで、模様Ｄを防水シート１６上に形成するようになっている。
これにより、模様Ｄは防水シート１６上に印刷されるため、模様Ｄの耐摩擦性をより高めることができる。
【００４４】
なお、上記実施形態においては、バックシート１０ｂとしてインクが透過可能な素材密度の不織布からなる外装シート１７を備えた構成を例示して説明したが、外装シート１７を、インクが透過しない素材密度の不織布により形成することもできる。
具体的には、例えば、スパンボンド不織布、ポイントボンド不織布、ＳＭＳ不織布などであって、目付け１０〜４０ｇ／ｍ2、繊度１．０〜３．０ｄｅｔｅｘのものなどを用いることができる。
これらの素材を用いた場合、外装シート１７はインクを透過させないため、外装シート１７の表面に模様Ｄが印刷されることとなる。
また、バックシート１０ｂが外装シート１７を備えない構成とすることもできる。
その場合、防水シート１６の表面に模様Ｄが直接印刷されることとなる。
このように構成した場合であっても、冷却手段５００により冷却することでインクの定着がよくなるため擦れて模様Ｄの形状が崩れる恐れが少なく、又、色合いが明るくなるため見栄えの良好な紙おむつとすることができる。
【００４５】
なお、上記実施形態においては吸収性物品としてテープ式の使い捨て紙おむつを例示して説明したが、吸収性物品は、これ以外にも、例えば、パンツ型紙おむつ、尿取りパッド、生理用ナプキン、等であっても良い。
【００４６】
（実施例）
以下に実施例を挙げて本発明をより具体的に説明する。なお、本発明はこれに限定されるものではない。
【００４７】
＜サンプル作製＞
（バックシート作成）
ポリエチレンフィルムからなる防水シートに、目付け１０〜４０ｇ／ｍ2、繊度１．０〜３．０ｄｅｔｅｘのエアスルー不織布からなる外装シートを貼り合わせて形成したシート材に、油性インクを用いて外装シート側から印刷を行ってバックシートを作成した。
（文字の印刷）
上記のように作成したバックシートに、油性インクを用いたピエゾ方式のインクジェットプリンタによって文字を印刷した。
（印刷された文字の冷却）
上記のように作成した、文字の印刷されたバックシートに対して、下記の冷却方法により冷却を行ってサンプル１〜６とした。
また、上記のように作成した、文字の印刷されたバックシートに対して、冷却を行わないものをサンプル７とした。
（冷却方法）
サンプル１：市販の−１５〜−２０のコールドスプレー（プロパンガス）により名前印刷面をスプレーした。
サンプル２：−１０℃のコールドエアーにより名前印刷面を３０秒間スプレーした。
サンプル３：０℃の保冷剤を用いて名前印刷面を３０秒間冷却した。
サンプル４：市販の防水スプレーにより名前印刷面をスプレーした。
サンプル５：市販のインクジェット用にじみ防止スプレーにより名前印刷面をスプレーした。
サンプル６：市販のニススプレーにより名前印刷面をスプレーした。
サンプル７：名前印刷面に対してスプレーを行わない。
【００４８】
＜試験＞
上記のサンプル１〜７をそれぞれ布と擦り合わせて、そのときのサンプル１〜７及び擦り合わせた布の状態を、下記の評価に従って観察した。
なお、擦り合わせた回数は、往復１０回及び往復３０回の２パターンであり、目視によって評価した。
【００４９】
＜評価＞
上記のサンプル１〜６に対して、下記の５つの評価項目（色落ち、色移り、色の濃さ、風合い、臭い）について、以下の３段階の基準により評価を行った。
また、５つの評価項目の評価から、以下の基準により総合評価を行った。
（項目）
色落ち  ：名前印刷面の色の落ち具合
色移り  ：こすり合わせた布への色の移り具合
色の濃さ：印刷されたインクの色の濃さ
風合い  ：印刷部の表面の柔らかさ、肌触り
臭い    ：おむつの素材及びインク以外の臭いがするかどうか
（評価）
○：従来（サンプル７）と比較して良好である。
△：従来（サンプル７）と比較して多少問題がある。
×：従来（サンプル７）と比較して問題がある
（総合評価）
○：良い（３つ以上の項目が○で、残りの項目に×が無い）
×：悪い
【００５０】
【表１】
2011206330.tif 000003
【００５１】
表１より、実施例１においては、色落ち、色の濃さ、臭いの項目が良好である。
また、実施例２においては、色落ち、風合い、臭いの項目が良好である。
また、比較例１においては、色落ちの項目に問題があり、色移り、色の濃さの項目にも多少問題がある。
また、比較例２においては、色落ち、臭いの項目に問題があり、色の濃さの項目に多少問題がある。
また、比較例３においては、色移り、色の濃さ、臭いの項目に多少問題がある。
また、比較例４においては、風合い、臭いの項目に問題があり、色の濃さに多少問題がある。
また、比較例５においては、色落ち、色移り、色の濃さ、風合いの項目に問題がある。
【符号の説明】
【００５２】
１  紙おむつ
１０  本体部
１０ａ  トップシート
１０ｂ  バックシート
１６  防水シート
１７  外装シート
１０ｃ  吸収体
Ｓ１  吸収体コア
Ｓ２  シート材
１０ｄ  ギャザーシート
１８  インジケータ
２０  止着部
２１  ファスニングテープ
３０  被止着部
３１  係止層
Ｄ  模様
２  製造装置
１００  水平駆動部
１０１  基台
１０２  移動部
２００  スタンド
２０１  支柱
２０２  ハンドル
３００  インクジェットプリンタ
３１０  プリンタヘッド
３１１  インク吐出面
３２０  インクサーバ
３３０  連結部
３３１  連結孔
４００  固定板
４０１  開口部
５００  冷却手段
Ｄ  模様
Ｔ  テーブル
【図１】
2011206330.tif 000004
【図２】
2011206330.tif 000005
【図３】
2011206330.tif 000006
【図４】
2011206330.tif 000007
【図５】
2011206330.tif 000008
【図６】
2011206330.tif 000009
【図７】
2011206330.tif 000010
【図８】
2011206330.tif 000011
【図９】
2011206330.tif 000012
【図１０】
2011206330.tif 000013
【図１１】
2011206330.tif 000014